(57)【要約】      （修正有）【課題】カウンター上にこぼれたパチンコ玉の落下を防ぎつつ、玉箱や携帯品を置いた場合の安定感も損なわれない形状のカウンターを提供する。【解決手段】遊技機用島台のカウンター７は、平坦に形成された上面の前縁部近傍に沿って、５ｍｍ〜１１ｍｍの深さを有する断面略半円形の溝部７２が形成されてなるものである。溝部７２の断面形状が直径約１１ｍｍのパチンコ玉Ｂを受け止めやすいように形成されているので、パチンコ玉Ｂが床に落ちるのを防止することができ、玉箱や携帯品の載置状態も安定する。【選択図】図１
0003138673.tif 000002
【実用新案登録請求の範囲】
【請求項１】
平坦に形成された上面の前縁部近傍に沿って、５ｍｍ〜１１ｍｍの深さを有する断面略半円形の溝部が形成されてなるパチンコ遊技機用島台のカウンター。
【考案の詳細な説明】
【技術分野】
【０００１】
本考案はパチンコ遊技機を設置するための島台に取り付けられるカウンターに関する。
【背景技術】
【０００２】
パチンコ遊技店における島工事の施工性を改善するため、本出願人は、特許文献１、２等において、構造体を上側部分、中間部分及び下側部分に３分割したパチンコ遊技機用島台（以下、単に「島台」という。）の構造を提案し実用化している。かかる島台の概略構造を図２に示す。島台１は、下段ユニット２、中段ユニット３、及び上段ユニット４を接合することによって組み立てられる。
【０００３】
下段ユニット２は、島台１の長さ方向に沿って所定間隔で配列された複数個の支持フレーム２１を、腰板２２、棚板２３、幕板２４、巾木２５等を介して島台１の長さ方向に連結した構造体である。支持フレーム２１の足元部分に取り付けられたベースプレート２１４が、床面に埋設されたアンカーボルト６に連結される。下段ユニット２の上部には、所定間隔で相対する下部支柱２１３が立設され、この下部支柱２１３に中段ユニット３が接合されるようになっている。
【０００４】
中段ユニット３は、前記下部支柱２１３と合致する間隔で相対する一対の中間支柱３１が連結板３２を介して連結された略Ｈ形の構造体で、中間支柱３１の下端が下部支柱２１３の上端に継手パイプ３３等を介して接合される。
【０００５】
上段ユニット４は、相対する上部支柱４１とこれに連結された上部フレーム４２、及びそれらを長さ方向に連結する上部幕板４３等を備えた構造体である。上部支柱４１が、中段ユニット３の中間支柱３１に接合される。
【０００６】
このような島台１は、下段ユニット２、中段ユニット３及び上段ユニット４を、予め工場にてそれぞれ製作し、各段を別々にした状態で遊技店の設置現場に搬入される。そして、まず床上の所定位置に下段ユニット２を据え付けた後、これに中段ユニット３、上段ユニット４を順次接合することにより組み立てられる。かかる構造及び組立方法によって、遊技店における島工事の現場作業を省力化し、作業時間や工数の削減を実現している。
【特許文献１】特開平６−１７００５６号公報
【特許文献２】特開２００１−１６２０２２号公報
【考案の開示】
【考案が解決しようとする課題】
【０００７】
図２に示したような島台１において、棚板２３には、島台１の長さ方向に沿ってカウンター２６が取り付けられる。カウンター２６は、遊技者が、主に玉箱や携帯品等の小物、飲物の缶やコップ等を置くためのスペースとして利用される。このカウンター２６上には遊技中のパチンコ球がこぼれることも多いので、従来のカウンター２６は、こぼれたパチンコ玉が床に落下しないように、その前縁部に数ｍｍ程度の立ち上がり部を設けていた。
【０００８】
しかし、この立ち上がり部があることにより、カウンター２６の奥行きよりも大きい玉箱や携帯品を置くと、ぐらついたり傾いたりして安定感が損なわれるという不便があった。そこで本考案は、カウンター上にこぼれたパチンコ玉の落下を防ぎつつ、玉箱や携帯品を置いた場合の安定感も損なわれない形状のカウンターを提供するものである。
【課題を解決するための手段】
【０００９】
上記した目的を達成するため、本考案のパチンコ遊技機用島台のカウンターは、平坦に形成された上面の前縁部近傍に沿って、５ｍｍ〜１１ｍｍの深さを有する断面略半円形の溝部が形成されてなるものとして特徴付けられる。
【考案の効果】
【００１０】
本考案のパチンコ遊技機用島台のカウンターは、上面の前縁部近傍に沿って断面略半円形の溝部が形成されており、かつ、その溝部が、直径約１１ｍｍのパチンコ玉を受け止めやすいように、５ｍｍ〜１１ｍｍの深さに設定されている。そのため、カウンター上に転がったパチンコ玉は溝部に入り込んで床への落下が防止されるとともに、玉箱や携帯品をカウンター上に置いた場合の安定感も確保される。その結果、遊技者が快適な気分で遊技を楽しむことができる。
【考案を実施するための最良の形態】
【００１１】
以下、本考案の実施の形態について図を参照して説明する。
【００１２】
図１は本考案の実施例にかかるカウンター７の断面斜視図である。カウンター７は、例えば図２に示したような島台１の棚板２３を下地として取り付けられるが、本考案において、島台１の詳細な構造は特に限定しない。
【００１３】
例示形態に係るカウンター７は、ステンレスやアルミニウム合金等からなる金属製の薄板を曲げ加工して形成されている。カウンター７の上面は平坦で、奥側には階段状の段部７１が立ち上げられている。ただし、この段部７１は、カウンター７を島台１に取り付けるための納まり上、形成されたもので、遊技機Ｐが設置されると遊技機Ｐの下側に隠れる部分となる。
【００１４】
本考案の要部は、カウンター７の前縁部近傍に沿って溝部７２が形成された点にある。溝部７２は、約１１ｍｍの直径を有するパチンコ玉Ｂに合わせて、深さが概ね５ｍｍ〜１１ｍｍ、溝幅が概ね８〜１２ｍｍの略半円形断面をなすように形成されている。前縁端から溝部７２までの後退寸法は概ね５〜２０ｍｍで、溝部７２の両肩の高さは同一に揃えられている。この溝部７２を設けるために、下地となる棚板２３にも溝状の欠込部２７が形成されている。
【００１５】
このような深さ及び溝幅を有する溝部７２をカウンター７の前縁部に沿って設けることにより、カウンター７上にこぼれたパチンコ玉Ｂが床に落下することなく、溝部７２内に好適に保持される。カウンター７の上面は奥側の段部７１を除き平坦で、溝部７２の両肩の高さは同一に揃えられているので、玉箱等を載置しても、ぐらついたり傾いたりしない。例示形態のように溝部７２の底を略半円形とし、溝部７２の両肩にも丸みを形成すれば、溝部７２内に溜まるゴミやタバコの灰などの清掃も容易になる。
【００１６】
溝部７２は島台１の長さ方向に連続するように設けられるが、溝部７２内には、パチンコ玉Ｂの転がりを止める小さな仕切７３を、例えば遊技機Ｐ１台分の間隔に合わせて突設してもよい。このような突起７３を設けることにより、遊技者のこぼしたパチンコ玉Ｂが隣の遊技者の前まで転がるのを防ぐことができる。
【００１７】
例示したカウンター７の前縁部は、断面略半円形となるように下向きに折り返され、その先端縁が棚板２３の下側に添設された飼木２８に固定される。前縁部をこのような形状とすることにより、前縁部の手触りが優しくなり、身体をぶつけたときの衝撃を和らげることができる。
【００１８】
本考案のカウンター７は、例示した形態以外にも、例えば、木質材や樹脂成形品からなる下地材の所定位置に予め溝部を形成しておき、その表面に、硬質塩化ビニル樹脂、ポリエチレン系樹脂、ＰＥＴ系樹脂等からなる可撓性粘着シートを貼着するなどして形成してもよい。
【図面の簡単な説明】
【００１９】
【図１】本考案の実施形態に係るカウンターの断面斜視図である。
【図２】本考案にかかるカウンターが取り付けられる遊技機用島台の概略構造を示す断面図である。
【符号の説明】
【００２０】
１  島台
７  カウンター
７２  溝部
【図１】
0003138673.tif 000003
【図２】
0003138673.tif 000004